【事件の表示】
　特願２００４−２１４６５３「医用Ｘ線撮影装置」拒絶査定不服審判事件〔平成１８年　２月　９日出願公開、特開２００６−　３４３５５〕について、次のとおり審決する。
【結　論】
　本件審判の請求は、成り立たない。
【理　由】
（１）手続の経緯
　本願は，平成１６年７月２２日の出願であって，平成２１年１１月５日付けで拒絶査定がされ，これに対し，平成２２年２月９日付けで拒絶査定不服審判が請求されたものである。
  　
（２）本願発明
　本願の請求項１ないし６に係る発明は，出願当初の特許請求の範囲の請求項１ないし６に記載された事項により特定されるとおりのものと認められ，その請求項１に係る発明は以下のとおりのものである。
「【請求項１】被検体にＸ線を照射するＸ線管と，被検体の透過Ｘ線像を検出して被検体の透過Ｘ線像に相応するＸ線検出信号を出力する２次元Ｘ線検出器と，Ｘ線管からのＸ線照射に伴って２次元Ｘ線検出器から出力されるＸ線検出信号に基づき，造影剤未投与状態の被検体のＸ線撮影画像をマスク画像とし，造影剤投与状態のＸ線撮影画像をライブ画像とした場合に，画像減算処理することにより第１サブトラクション画像を，造影剤充満箇所が抽出された造影サブトラクション画像として取得する第１サブトラクション画像取得手段と，Ｘ線管からのＸ線照射に伴って２次元Ｘ線検出器から出力されるＸ線検出信号に基づき，リアルタイム・スムージング処理済の透視撮影画像をマスク画像とし，リアルタイム・スムージング処理なしの透視撮影画像をライブ画像とした場合に，画像減算処理することにより第２サブトラクション画像を，背景的箇所が除かれた非造影Ｘ線透視画像として取得する第２サブトラクション画像取得手段と，第１サブトラクション画像と第２サブトラクション画像とを画像加算処理することにより重畳Ｘ線画像を取得する重畳画像取得手段とを備えていることを特徴とする医用Ｘ線撮影装置。」（以下，「本願発明」という。）。
　  　
（３）刊行物およびその記載事項
　ア　本願の出願前に頒布され，原査定の拒絶の理由において引用文献１として引用された刊行物である，特開２００３−１４３４７９号公報（以下，「刊行物１」という。）には，図面とともに，次の事項が記載されている（以下，下線は当審において付記したものである）。 
  　
　（ア−１）
「【０００１】【発明の属する技術分野】本発明は，例えばカテーテルを用いた治療を支援するのに好適なＸ線画像診断装置に関する。」
　　
　（ア−２）
「【０００２】【従来の技術】例えば，動脈瘤等の治療を行なう際，従来は外科的手技により切開して患部に到達する必要があった。しかし近年，
画像診断的介入治療（Interventional  Radiology：ＩＶＲ）
ＩＶＲによる動脈瘤の治療法を簡単に説明すると，先ず，血管造影法により撮影したコントラスト像をロードマップとして表示する。次に，このロードマップをガイドとして，Ｘ線透視下にて血管内にガイドワイヤを通し，さらにガイドワイヤに沿ってカテーテルを患部へ導く。そして，患部に到達したカテーテルの先端から，コイルのような閉塞物質を動脈瘤の中に留置させる
ところで，ＩＶＲを実施する際に，患部付近における骨や臓器などの背景に対する血管および血管内に挿入されるガイドワイヤなど医療用具の位置関係を術者に知らせる手段として，ランドマーク像をモニタに表示することがおこなわれていた
　
　（ア−３）　
「【０００８】【発明の実施の形態】以下，本発明に係るＸ線画像診断装置およびＸ線合成画像の作成方法の，実施の形態について，図１ないし図５を参照して詳細に説明する。図１は，
本発明に係るＸ線画像診断装置
循環器用Ｘ線診断装置
循環器用Ｘ線診断装置
アーム１１の一方の端に取着されたＸ線管２０
アーム１１の他方の端に取着されたＸ線検出器３０
Ｘ線制御器５０を通して得られる画像信号を処理する画像処理装置６０
被検体を載置する天板８１を有する寝台８０
【０００９】なお，
Ｘ線検出器３０
Ｘ線像を
フラットパネル型放射線検出器（Flat  PanelDetector：ＦＰＤ）
　
　（ア−４）
「【００１０】次に，このように構成されている
循環器用Ｘ線診断装置によって，ランドマーク像Landmarkを作成する場合の動作の概略
先ず，天板７１に載置されている被検体の治療すべき対象部位をＸ線撮影して，主として骨だけの背景画像を得，これをマスク像Maskとして画像処理装置６０のメモリ６６に格納する。
次に，被検体の血管に造影剤を注入して透視または撮影によりＸ線画像を得，これを第１のライブ像Live１とする。
さらに，被検体の血管中に例えばガイドワイヤを挿入した状態で，造影剤を注入せずに透視または撮影によりＸ線画像を得，これを第２のライブ像Live２とする
　　
　（ア−５）
「【００１１】続いて，ランドマーク像Landmarkを作成するための処理について説明する。
先ず，マスク像Mask（背景画像）と第１のライブ像Live１とを，画像処理装置６０の演算部６４にてサブトラクション処理することにより，同一の背景部分が除去された血管像を得る。次に，マスク像Maskを画像処理装置６０のフィルタ処理部６３にてフィルタ処理し，背景情報をぼかしたマスク像Filterを得る。そして，この背景情報のぼけたマスク像Filterと第２のライブ像Live２とを，画像処理装置６０の演算部６４にて減算処理することにより，弱い背景情報を含むガイドワイヤ像を得る
その後，この弱い背景情報を含むガイドワイヤ像と背景部分が除去された血管像とを，演算部６４にて加算処理する。これにより，両方の画像に含まれる背景情報にレベル差があるため，血管とガイドワイヤとともに，うっすらと背景の浮き出たランドマーク像Landmarkを得る
    Landmark  ＝  ａ＊［Filter(Mask)  −  Live２］
                  ＋  ｂ＊［Mask  −Live１］  ＋  ｃ
              ＝  ａ＊含背景ガイドワイヤ像  ＋ｂ＊血管像  ＋  ｃ  ・・（２）
ここでａおよびｂは個別に設定することの可能な係数であり，ｃは補正係数である。」
　
　（ア−６）
「【００１８】
【発明の効果】以上詳細に説明したように，請求項１に記載の発明によれば，
血管像，ガイドワイヤなどの医療用具像および骨や臓器などの背景像をバランス良く描出し，術者の要望に応じたランドマーク像を合成することのできるＸ線画像診断装置が提供される
濃度差をおさえつつ必要な骨や臓器などの背景の輪郭を表示できる等，術者の要望に応じたランドマーク像を作成することのできるＸ線合成画像の作成方法が提供される
　
　イ　本願の出願前に頒布され，原査定の拒絶の理由において引用文献２として引用された刊行物である，特開２００２−１３５６５５号公報（以下，「刊行物２」という。）には，図面とともに，次の事項が記載されている。 
  　
　（イ−１）
「【特許請求の範囲】【請求項１】
Ｘ線透過像を撮像するＦＰＤと，該ＦＰＤより得られるデジタル画像を光学像に変換する表示器と，該表示器により表示された画像を空間周波数領域においてローパスフィルタ処理する光学系と，該光学系を経た光学像を画像信号に変換する撮影器と，該撮影器より得られるデジタル画像と上記の元のデジタル画像との間でサブトラクションを行うサブトラクション演算器とを備えることが特徴とするデジタルＸ線映像装置
　
　（イ−２）
「【０００１】【発明の属する技術分野】この発明は，デジタルＸ線映像装置に関し，とくに，
血管像の描出に好適なデジタル・サブトラクション・アンジオグラフィー（ＤＳＡ）装置
　
　（イ−３）
「【０００２】【従来の技術】
ＤＳＡ装置は，造影剤を被検体血管内に注入し，視野内に造影剤がない状態でのマスク像と造影剤があるときのオリジナル像とをＸ線撮影してこれらのデジタル画像を得，デジタル画像処理によって両者をサブトラクションすることにより血管造影を行うものである
【０００３】ところが，
撮像系および被写体とも静止していればよいが
【０００４】ところで，
サブトラクション・アンジオグラフィによって造影剤の充満した血管像を抽出することは，造影剤注入時の画像から背景となっているおおざっぱな部分を消し去って血管などの細かい部分を抽出すること
造影剤注入時にぼけた画像をも得て，このぼけ画像をマスク像として用い，造影剤注入時のぼけのないオリジナル像から差し引けば，従来のサブトラクション像と同様な画像が得られる。この手法によると，マスク像は造影剤注入時にオリジナル像と同時に得ることができるため，位置ずれの問題から根本的に逃れることができる
リアルタイム・スムーズドＤＳＡ（ＲＳＭ−ＤＳＡ）法
　
　（イ−４）
「【００１１】【発明の実施の形態】つぎに，この発明の実施の形態について図面を参照しながら詳細に説明する。図１は，この発明にかかるデジタルＸ線映像装置の実施の形態を示すブロック図である。この図において，
被検者１０を挟むようにＸ線管１１とＦＰＤ１２とが対向配置され
Ｘ線管１１から放射されたＸ線が被検者１０を透過してＦＰＤ１２に入射してＸ線透過像の画像信号が得られる
　
　（イ−５）
「【００１６】さらに図３を参照しながら動作について説明する。図３に示すように，ビデオ同期信号（ＶＤ）がたとえば１／３０秒間隔で生じ，これに同期してＸ線曝射がなされるものとする。
Ｘ線曝射によりＦＰＤ１２から画像信号が出力され，これがオリジナル像の入力画像となる
オリジナル像の画像信号は光信号処理装置１５を経ることにより，空間周波数ローパスフィルタリングを受けた，ぼけマスク像の画像信号となる
ぼけマスク像とオリジナル像とのサブトラクションが行われ，サブトラクション演算器１９からＤＳＡ像が出力される
【００１７】こうして，
Ｘ線曝射ごとにオリジナル像１，オリジナル像２，…というように順次オリジナル像が得られていくとき，これとほとんど同時にぼけマスク像１，ぼけマスク像２，…が得られ，これらの間のサブトラクション結果であるＤＳＡ像１，ＤＳＡ像２，…が得られる
オリジナル像に遅れることなく，ほぼ同時にぼけマスク像を得ることができ
ＲＳＭ−ＤＳＡ像としてリアルタイムで表示することができる
　
　（イ−６）
「【００１９】【発明の効果】以上説明したように，この発明のデジタルＸ線映像装置によれば，オリジナル像からぼけマスク像を得るための処理を光信号処理により行うようにしたため，比較的簡単・安価な構成で，きわめて高速な処理を実現でき，
リアルタイムでＲＳＭ−ＤＳＡ像を得ることができる
従来必要であった２回のＸ線被曝を１回で済ますことができるので，被検者のＸ線被曝量を低減することができる
　
（４）当審の判断 
　ア　対比・判断　　
　刊行物１の記載事項（ア−１）〜（ア−６）を総合すると，刊行物１には次の発明が記載されているものと認められる。
　
「Ｘ線を発生するＸ線管２０と，フラットパネル型放射線検出器よりなるＸ線検出器３０と，Ｘ線制御器５０を通して得られる画像信号を処理する画像処理装置６０と，被検体を載置する天板８１を有する寝台８０とを有するＸ線画像診断装置であり，
天板７１に載置されている被検体の治療すべき対象部位をＸ線撮影して，主として骨だけの背景画像を得て，これをマスク像Ｍａｓｋとして画像処理装置６０のメモリ６６に格納する手段と，被検体の血管に造影剤を注入して透視または撮影によりＸ線画像を得て，これを第１のライブ像Ｌｉｖｅ１とする手段と，被検体の血管中にガイドワイヤを挿入した状態で，造影剤を注入せずに透視または撮影によりＸ線画像を得て，これを第２のライブ像Ｌｉｖｅ２とする手段とを備え，
上記画像処理装置６０が，マスク像Ｍａｓｋ（背景画像）と第１のライブ像Ｌｉｖｅ１とをサブトラクション処理することにより同一の背景部分が除去された血管像を得る処理と，マスク像Ｍａｓｋをフィルタ処理し背景情報をぼかしたマスク像Ｆｉｌｔｅｒを得て，上記マスク像Ｆｉｌｔｅｒと第２のライブ像Ｌｉｖｅ２とを減算処理することにより弱い背景情報を含むガイドワイヤ像を得る処理と，上記ガイドワイヤ像と上記血管像とを加算処理することにより，血管とガイドワイヤとともにうっすらと背景の浮き出たランドマーク像Ｌａｎｄｍａｒｋを得る処理を行うものであるＸ線画像診断装置」（以下，「刊行物１発明」という。）
　
　そこで，以下に本願発明と刊行物１発明を対比する。
　
　（ア）刊行物１発明の「Ｘ線を発生するＸ線管２０」は，被検体にＸ線を照射するためのものであるのは明らかであり，本願発明の「被検体にＸ線を照射するＸ線管」に相当する。
　
　（イ）刊行物１発明の「フラットパネル型放射線検出器よりなるＸ線検出器３０」は，Ｘ線撮影により被検体の透視像を得るためのものであるのは明らかであるから，本願発明の「被検体の透過Ｘ線像を検出して被検体の透過Ｘ線像に相応するＸ線検出信号を出力する２次元Ｘ線検出器」に相当する。
　　
　（ウ）刊行物１の（ア−３）「【００１０】・・・
先ず
次に，被検体の血管に造影剤を注入して
　また，刊行物１発明において，「画像処理装置６０」の行う「マスク像Ｍａｓｋ」，「第１のライブ像Ｌｉｖｅ１」，「同一の背景部分が除去された血管像」の取得がＸ線管２０からのＸ線照射に伴ってフラットパネル型放射線検出器よりなるＸ線検出器３０から出力されるＸ線検出信号に基づき行われるのは明らかである。
　そうすると，刊行物１発明の「天板７１に載置されている被検体の治療すべき対象部位をＸ線撮影して，主として骨だけの背景画像を得て，これをマスク像Ｍａｓｋとして画像処理装置６０のメモリ６６に格納する手段」と「被検体の血管に造影剤を注入して透視または撮影によりＸ線画像を得て，これを第１のライブ像Ｌｉｖｅ１とする手段」と「マスク像Ｍａｓｋ（背景画像）と第１のライブ像Ｌｉｖｅ１とをサブトラクション処理することにより同一の背景部分が除去された血管像を得る処理」を行う「画像処理装置６０」よりなる構成は，本願発明の「Ｘ線管からのＸ線照射に伴って２次元Ｘ線検出器から出力されるＸ線検出信号に基づき」「造影剤未投与状態の被検体のＸ線撮影画像をマスク画像とし，造影剤投与状態のＸ線撮影画像をライブ画像とした場合に，画像減算処理することにより第１サブトラクション画像を，造影剤充満箇所が抽出された造影サブトラクション画像として取得する第１サブトラクション画像取得手段」に相当する。
　
　（エ）本願発明の「リアルタイム・スムージング処理なしの透視撮影画像」である「ライブ画像」は，その画像の内容を特定するものではなく，様々な医用画像を含むものである。ここで，本願明細書の背景技術に関する記載「【０００２】 近年，病院等の医療機関で被検体（患者）の
血管内治療（ＩＶＲ）
カテーテル導入の導入のために医用Ｘ線撮影装置による血管造影撮影が利用される
ＩＶＲの際の血管造影撮影に用いられる従来の医用Ｘ線撮影装置
ＩＶＲの際に利用される頭部血管造影撮影の場合
血管ロードマップ付きのＸ線透視がリアルタイム
表示モニタ７の画面に映し出された重畳Ｘ線画像で血管の分岐状況を確認しながらカテーテル先導用のガイドワイヤを速やかに押し進めることができる
第２サブトラクション画像取得部９
造影剤の投与を伴わないＸ線透視撮影
　そうすると，刊行物１発明の「被検体の血管中にガイドワイヤを挿入した状態で，造影剤を注入せずに透視または撮影により」得られた「Ｘ線画像」である「第２のライブ像Ｌｉｖｅ２」は，本願発明の「リアルタイム・スムージング処理なしの透視撮影画像」である「ライブ画像」の一つであるといえる。
　また，刊行物１発明の「マスク像Ｍａｓｋをフィルタ処理し背景情報をぼかしたマスク像Ｆｉｌｔｅｒ」と，本願発明の「リアルタイム・スムージング処理済の透視撮影画像」である「マスク画像」とは，ライブ画像信号から背景画像信号を減じる目的でライブ画像から減算される「マスク画像」である点で共通し，刊行物１発明の「弱い背景情報を含むガイドワイヤ像」と，本願発明の「背景的箇所が除かれた非造影Ｘ線透視画像」である「第２サブトラクション画像」とは，「背景的箇所が減じられた非造影Ｘ線透視画像」である「第２サブトラクション画像」である点で共通する。
　さらに，刊行物１発明において，「画像処理装置６０」の行う「マスク像Ｆｉｌｔｅｒ」，「第２のライブ像Ｌｉｖｅ２」，「弱い背景情報を含むガイドワイヤ像」の取得がＸ線管２０からのＸ線照射に伴ってフラットパネル型放射線検出器よりなるＸ線検出器３０から出力されるＸ線検出信号に基づき行われるのは明らかである。
　以上より，刊行物１発明の「被検体の血管中にガイドワイヤを挿入した状態で，造影剤を注入せずに透視または撮影によりＸ線画像を得て，これを第２のライブ像Ｌｉｖｅ２とする手段」及び「マスク像Ｍａｓｋをフィルタ処理し背景情報をぼかしたマスク像Ｆｉｌｔｅｒを得て，上記マスク像Ｆｉｌｔｅｒと第２のライブ像Ｌｉｖｅ２とを減算処理することにより弱い背景情報を含むガイドワイヤ像を得る処理」を行う「画像処理装置６０」よりなる構成と，本願発明の「Ｘ線管からのＸ線照射に伴って２次元Ｘ線検出器から出力されるＸ線検出信号に基づき，リアルタイム・スムージング処理済の透視撮影画像をマスク画像とし，リアルタイム・スムージング処理なしの透視撮影画像をライブ画像とした場合に，画像減算処理することにより第２サブトラクション画像を，背景的箇所が除かれた非造影Ｘ線透視画像として取得する第２サブトラクション画像取得手段」とは，「Ｘ線管からのＸ線照射に伴って２次元Ｘ線検出器から出力されるＸ線検出信号に基づき，マスク画像を取得し，リアルタイム・スムージング処理なしの透視撮影画像をライブ画像とした場合に，ライブ画像とマスク画像とを画像減算処理することにより第２サブトラクション画像を，背景的箇所が減じられた非造影Ｘ線透視画像として取得する第２サブトラクション画像取得手段」である点で共通する。
　
　（オ）刊行物１発明の「上記ガイドワイヤ像と上記血管像とを加算処理する」「画像処理装置６０」と，本願発明の「第１サブトラクション画像と第２サブトラクション画像とを画像加算処理することにより重畳Ｘ線画像を取得する重畳画像取得手段」とは，「第１サブトラクション画像と」背景的箇所が減じられた非造影Ｘ線透視画像である「第２サブトラクション画像とを画像加算処理することにより重畳Ｘ線画像を取得する重畳画像取得手段」である点で共通する。
　
　以上より，刊行物１発明と本願発明とは，
「被検体にＸ線を照射するＸ線管と，被検体の透過Ｘ線像を検出して被検体の透過Ｘ線像に相応するＸ線検出信号を出力する２次元Ｘ線検出器と，Ｘ線管からのＸ線照射に伴って２次元Ｘ線検出器から出力されるＸ線検出信号に基づき，造影剤未投与状態の被検体のＸ線撮影画像をマスク画像とし，造影剤投与状態のＸ線撮影画像をライブ画像とした場合に，画像減算処理することにより第１サブトラクション画像を，造影剤充満箇所が抽出された造影サブトラクション画像として取得する第１サブトラクション画像取得手段と，Ｘ線管からのＸ線照射に伴って２次元Ｘ線検出器から出力されるＸ線検出信号に基づき，マスク画像を取得し，リアルタイム・スムージング処理なしの透視撮影画像をライブ画像とした場合に，ライブ画像とマスク画像とを画像減算処理することにより第２サブトラクション画像を，背景的箇所が減じられた非造影Ｘ線透視画像として取得する第２サブトラクション画像取得手段と，第１サブトラクション画像と背景的箇所が減じられた非造影Ｘ線透視画像である第２サブトラクション画像とを画像加算処理することにより重畳Ｘ線画像を取得する重畳画像取得手段とを備えた医用Ｘ線撮影装置」である点において一致し，以下の点で相違する。
　
（相違点１）「第２サブトラクション画像取得手段」が，本願発明においては「リアルタイム・スムージング処理済の透視撮影画像をマスク画像とし」，第２サブトラクション画像を背景的個所が「除かれた」非造影Ｘ線透視画像として取得するのに対して，刊行物１発明においては，このような構成を備えていない点。
　
（相違点２）「重畳画像取得手段」において「第１サブトラクション画像」と重畳される「第２サブトラクション画像」が，本願発明においては背景的箇所が「除かれた」非造影Ｘ線透視画像であるのに対して，刊行物１発明においては，このような画像ではない点。
　
　相違点1及び２は関連するものであるので，まとめて検討する。
　本願発明は「リアルタイム・スムージング処理」の具体的な内容を特定するものではなく，上記処理としてさまざまな処理を含むものである。ここで，発明の詳細な説明の「【００４７】
第２サブトラクション画像取得部９で行われるリアルタイム・スムージング処理
例えば
ローパスフィルタリング
　一方，刊行物２には，血管造影を伴うＤＳＡ装置において，Ｘ線曝射によりＦＰＤ１２から得られたＸ線透過像であるオリジナル像を取得し，オリジナル像にローパスフィルタ処理することによりオリジナル像の取得とほぼ同時にぼけマスク像を取得し，ぼけマスク像とオリジナル像とのサブトラクションによりリアルタイムでＲＳＭ−ＤＳＡ像を得ることについて記載されており，刊行物２の（イ−３）より，上記のオリジナル像及びマスク像は血管に造影剤が注入された状態で得られるものであること，上記マスク像のサブトラクションにより背景となっているおおざっぱな部分を消し去って血管などの細かい部分を抽出し，造影剤の充満した血管像が抽出されることが理解される。
　また，刊行物２の（イ−３）には，上記処理により，マスク像をオリジナル像と同時に得ることができるため，撮像系や被写体の動きなどに起因した撮影条件の変化や位置ずれの問題が解消されること，刊行物２の（イ−６）には，上記処理により，Ｘ線被曝回数を１回として被検者のＸ線被曝量を低減することができることが記載されている。
　そして，撮像系や被写体の動きに起因する問題やＸ線被曝量の低減は，撮像系の駆動や人体を対象としたＸ線照射が必須である医用Ｘ線撮影装置において共通して生じる課題であるといえ，刊行物１発明においても同じ課題は当然に内在するものといえる。
　そうすると，刊行物１発明に刊行物２の上記記載事項を適用して，刊行物１発明の「マスク像Ｍａｓｋをフィルタ処理し」て得られる「背景情報をぼかしたマスク像Ｆｉｌｔｅｒ」に代えて，第２のライブ像Ｌｉｖｅ２にローパスフィルタ処理することによりリアルタイムで得られるマスク像を用いるようすることには充分な動機付けが存在し，当業者が容易になし得ることである。
　
　また，刊行物１発明のランドマーク像Ｌａｎｄｍａｒｋは，血管とガイドワイヤと共に「うっすらと背景の浮き出た」像である点で，本願発明の非造影Ｘ線透視画像が「背景的箇所が除かれた」ものである点と相違するが，治療に際して術者に対して表示されるランドマーク像の表示内容を術者の要望に応じて適宜変更可能とすることは技術常識であり，刊行物１の（ア−６）に「【００１８】・・・濃度差をおさえつつ必要な骨や臓器などの背景の輪郭を表示できる等，術者の要望に応じたランドマーク像を作成することのできるＸ線合成画像の作成方法が提供される。」と記載され，本願出願前に頒布された刊行物である特開２００４−２３４０８号公報の【０００１】，【０００２】，【０００３】，【００１４】，【００１５】に，Ｘ線画像診断装置のＤＳＡ装置において，造影剤の入っていない時に得られた「マスク画像」と造影剤の入った時に得られた「ライブ画像」とをサブトラクションする処理として，造影剤の入った血管像のみを表示して血管の背後の骨によって血管像が見えにくくなる影響を無くす場合と，血管像と骨との位置関係をつかむためにマスク像の引き算割合を調節することにより薄く骨を表示するサブトラクション処理を行う場合があることについて記載されているとおりである。
　さらに，刊行物１発明において，ランドマーク像としてうっすらと背景の浮き出た像を表示することにより術者の要望に応じた視認性は向上するが，術者の要望は治療条件などに応じて変化するものであり，上記像の表示形態に格別な技術的意義が伴うということはできない。
　そもそも，本願発明は，リアルタイム・スムージング処理済の透視撮影画像をマスク画像とし，リアルタイム・スムージング処理なしの透視撮影画像をライブ画像として，両者を画像減算処理することにより「背景的箇所が除かれた」非造影Ｘ線透視画像を取得するものであるが，本願明細書の「【００４７】 ・・・リアルタイム・スムージング処理済の透視撮影画像はデフォーカス化で
ほとんど背景的箇所だけのＸ線画像になる
畳み込み積分演算処理で用いる畳み込み関数の変更や，ローパスフィルのパラメータの変更でデフォーカスの程度を調整して，非造影Ｘ線透視画像の画調を整えることができる
　そうすると，上記適用に際して，第２のライブ像Ｌｉｖｅ２とマスク像とを画像減算処理して背景的個所が「除かれた」非造影Ｘ線透視画像を取得し，これを血管像と重畳することは，当業者が適宜なし得る設計的事項にすぎないというべきである。
　
　イ　本願発明の効果について          
　本願発明の有する，非造影Ｘ線透視画像に重ね合わされた造影サブトラクション画像の中の造影剤充満箇所が明瞭な状態で出現する重畳Ｘ線画像を容易に取得できるという効果は，刊行物１及び刊行物２の記載事項から当業者が予測できる範囲のものであり，格別顕著なものとはいえない。
　
　したがって，本願発明は，刊行物１及び刊行物２の記載事項に基づいて当業者が容易に発明をすることができたものである。
　
　なお，審判請求人は，審判請求書において「・・・引用文献２におけるリアルタイムスムージング処理による技術を，引用文献１の非造影画像の取得に用いる動機付けは，いずれの引用文献にも開示及び示唆されていません。　すなわち，引用文献２にはリアルタイムスムージング処理をマスク像とライブ像との時間差から生じる位置ずれの課題（段落０００３）が示されているものの，引用文献１に記載された発明は，弱い背景情報を含むガイドワイヤ像を取得することを目的とするため，少々位置がずれたとしても背景画像を薄くすることは可能であり，リアルタイムスムージング処理を採用する必要性は何らありません。」と主張している。
　しかしながら，「動機付け」および「リアルタイムスムージング処理を採用する必要性」については，上記の相違点に係る判断において述べたとおりである。
　
（５）　むすび
　以上のとおり，本願発明は，刊行物１及び刊行物２の記載事項に基づいて，当業者が容易に発明をすることができたものであるから，特許法第２９条２項の規定により特許を受けることができない。
　したがって，その他の請求項に係る発明についての判断を示すまでもなく，本願は拒絶すべきものである。
　　
　よって，結論のとおり審決する。